(57)【特許請求の範囲】
【請求項１】
駆動装置により錠本体を被係合部に選択的に係合させて引出しの施解錠を行うようにしたものであって、駆動装置は、オン／オフ状態を有するロック式オルタネイト型のラッチ機構と、入力がある度に駆動源に同じ方向の動作を繰り返し行わせその動作により前記ラッチ機構のオン／オフ状態を切り替える駆動機構と、前記ラッチ機構に関連づけられ当該ラッチ機構がオン状態のときに施錠位置に移動しオフ状態のときに解錠位置に移動する錠本体とを具備するものであり、この駆動装置を引出し内に配置して構成したことを特徴とするデスク。
【請求項２】
ラッチ機構は引出し内を水平方向に作動し、錠本体は引出し内に位置する解錠位置と上方へ起き上がって天板下面側に設けた被係合部に係合する施錠位置との間で移動するように構成している請求項１記載のデスク。
【請求項３】
少なくとも錠本体の自重がラッチ機構に対して切替点に向かう方向と逆方向に作用するように設定している請求項２記載のデスク。
【請求項４】
天板を支持する脚体が、前後の脚支柱の間、及び、後端側における左右の脚支柱の間を横架材で連結し、前端側における左右の脚支柱の前端側を開放したものであり、その開放された部位においてほぼ横架材の厚み内に収まるように引出しを配置している請求項２又は３記載のデスク。
【請求項５】
引出しが、天板の幅方向略全域に亘ってその下面側に配置されるものである請求項１〜４何れかに記載のデスク。
【請求項６】
少なくとも駆動系をユニットケースに収容して引出し内に配置し、デスク本体側にブラケットを取り付けたものであって、ブラケットは、基端部を天板を支持する脚体に支持され、先端部を天板下面に沿って延出させて、その先端部に前記被係合部を形成している請求項１〜５何れかに記載のデスク。
【請求項７】
施解錠装置により錠本体を被係合部に選択的に係合させて引出しの施解錠を行うようにしたものであって、施解錠装置は、電動式入力部と、この電動式入力部から入力される駆動力によって施錠位置と解錠位置の間で動作する錠本体と、外部操作力によって前記錠本体を施錠位置と解錠位置の間で移動させるための手動式入力部とを具備して、電動式入力部及び手動式入力部を互いに相手方を逆駆動することなく作動し得るように錠本体に関連づけて、この施解錠装置を引出し内に配置して構成したものであり、少なくとも駆動系をユニットケースに収容して引出し内に配置し、デスク本体側にブラケットを取り付け、このブラケットは、基端部を天板を支持する脚体に支持され、先端部を天板下面に沿って延出させて、その先端部に前記被係合部を形成していることを特徴とするデスク。
【発明の詳細な説明】
【技術分野】
【０００１】
本発明は、簡易な構成で引出しを施解錠する錠本体を駆動でき、或いは、その錠本体を電動でも手動でも適切に作動させ得るようにしたデスクに関するものである。
【背景技術】
【０００２】
デスクにおいて、引出しに対する施解錠を電気的に行い得るようにしたものとして、例えば特許文献１に示されるように、引出しの鏡板内に設けたかんぬき状の錠本体と、引出しを包囲する筐体の側壁に設けた被係合部と、前記鏡板内に設けられ錠本体を駆動して前記被係合部に選択的に係合させる減速モータ及びリミットスイッチからなる駆動装置とから構成されるものが知られている。
【０００３】
その駆動装置は、停電やバッテリ切れ等の非常時に対応できるように、手動操作によっても作動可能とされている。すなわち、前記かんぬき状の錠本体は、引出しの鏡板に取り付けたシリンダ錠のデッドボルトを利用したものであり、シリンダ錠を操作すると、錠本体を手動で作動させることができるようになっている。
【特許文献１】特開２００３−９７１０８号公報
【発明の開示】
【発明が解決しようとする課題】
【０００４】
ところが、上記のように鏡板に錠本体を設けて水平方向に作動させ、筐体の側壁に係合させる構造であると、袖やワゴンの引き出しのごとき筐体がなく施錠の拠り所の少ないセンター引出し等に対して適用が難しくなる。デッドボルトの動きを錠本体の回転動作に変換して天板の下面側に設けた被係合部に係合させるように構成することも考えられるが、これだと錠本体の自重が一方向に常に作用するため、駆動源にソレノイドのように２位置で駆動位置を自己保持するものを用いることが必要になり、通電量が増えてバッテリ等であれば早期に消耗してしまうし、引出しのように頻繁に使用されるものでは耐久性にも支障が生じる。さらに、減速モータとリミットスイッチの組み合わせにしろソレノイドにしろ、両方向に駆動する駆動源は構造や制御が単純ではない。
【０００５】
一方、電動駆動系及び手動操作系の併設の観点から見ると、減速モータとシリンダ錠とは常に直動し、モータから駆動する際にはシリンダ錠が引きずられ、シリンダ錠から操作する際にはモータが引きずられて、何れの場合にも機構部品に不必要な負荷が掛かることとなり、故障の原因になるとともに、手動操作も軽快に行うことが難しくなる。これはソレノイドを用いた場合であっても同様である。引出しのように頻繁に使用されるものは、電動の場合は勿論のこと手動の場合であっても平易に操作できることが要求され、電動駆動の際に不必要な負荷が頻繁に掛かることはそれだけ製品寿命を短くするため改善が望まれる。
【０００６】
本発明は、これらの問題を有効に解消することを目的としている。
【課題を解決するための手段】
【０００７】
本発明は、かかる目的を達成するために、次のような手段を講じたものである。
【０００８】
すなわち、本発明は、駆動装置により錠本体を被係合部に選択的に係合させて引出しの施解錠を行うようにしたものであって、駆動装置は、オン／オフ状態を有するロック式オルタネイト型のラッチ機構と、入力がある度に駆動源に同じ方向の動作を繰り返し行わせその動作により前記ラッチ機構のオン／オフ状態を切り替える駆動機構と、前記ラッチ機構に関連づけられ当該ラッチ機構がオン状態のときに施錠位置に移動しオフ状態のときに解錠位置に移動する錠本体とを具備するものであり、この駆動装置を引出し内に配置して構成したことを特徴とするデスク。
【０００９】
このようなロック式オルタネイト型のラッチ機構であれば、同じ動作を繰り返す比較的単純な駆動源を用いてもオン／オフ状態を背反的に切り替えることができる。このため、ラッチ機構のオン／オフ状態を切り替える上で別異の動作を行い、駆動位置で通電により保持力を維持するような複雑な駆動源を採用せずに済み、駆動源や制御系が簡素になってコストダウンも図れるものとなる。そして、ラッチ機構に錠本体が関連づけられるので、当該出力子をラッチ機構を通じて第１、第２の駆動位置に的確に移動、保持することができる。さらに、このような駆動装置を引出し内に配置しており、錠本体を例え自重が作用するような方向に作動させてもラッチ機構によって作動位置を保持することができるので、施錠の拠り所を天板等に求めることなども容易に可能となる。
【００１０】
作動しろを確保し、扁平な引き出しにも有効に対応できるようにするためには、ラッチ機構が引出し内で水平方向に作動し、錠本体は引出し内に位置する解錠位置と上方へ起き上がって天板下面側に設けた被係合部に係合する施錠位置との間で移動するように構成していることが望ましい。
【００１１】
駆動位置を確実に保持するためには、少なくとも錠本体の自重がラッチ機構に対して切替点に向かう方向と逆方向に作用するように設定していることが有効となる。
【００１２】
特に、本発明は、天板を支持する脚体が、前後の脚支柱の間、及び、後端側における左右の脚支柱の間を横架材で連結し、前端側における左右の脚支柱の前端側を開放したものであり、その開放された部位においてほぼ横架材の厚み内に収まるように引出しを配置している扁平なものに適用して有用となる。
【００１３】
或いは引出しが、天板の幅方向略全域に亘ってその下面側に配置されて、施錠の拠り所が少ない場合に適用して有用となる。
組み込みを容易にし、後付けでも本発明を有効に採用可能とするためには、少なくとも駆動系をユニットケースに収容して引出し内に配置し、デスク本体側にブラケットを取り付けて、そのブラケットは、基端部を天板を支持する脚体に支持され、先端部を天板下面に沿って延出させて、その先端部に被係合部を形成しておくことが好ましい。
【００１４】
一方、本発明の他の構成は、施解錠装置により錠本体を被係合部に選択的に係合させて引出しの施解錠を行うようにしたものであって、施解錠装置は、電動式入力部と、この電動式入力部から入力される駆動力によって施錠位置と解錠位置の間で動作する錠本体と、外部操作力によって前記錠本体を施錠位置と解錠位置の間で移動させるための手動式入力部とを具備して、電動式入力部及び手動式入力部を互いに相手方を逆駆動することなく作動し得るように錠本体に関連づけて、この施解錠装置を引出し内に配置して構成したものであり、少なくとも駆動系をユニットケースに収容して引出し内に配置し、デスク本体側にブラケットを取り付け、このブラケットは、基端部を天板を支持する脚体に支持され、先端部を天板下面に沿って延出させて、その先端部に前記被係合部を形成していることを特徴とする。
【００１５】
このようにすれば、電動駆動によっても外部からの手動操作によっても施解錠を実現することができるので、平素は電動駆動によって良好な使い勝手を得、停電等の非常時においても解錠や施錠が困難となる事態を有効に解消することができる。しかも、何れの動作時にも相手方を逆駆動することがないので、併設しても引きずり抵抗を伴うことがなく、適正に作動させることができる。そして、このような施解錠装置を引出し内に配置するようにしているので、組み込みスペースを有効に確保することができ、また組み込みを容易にし、後付けでも本発明を有効に採用することが可能となる。
【発明の効果】
【００２３】
発明は、以上説明した構成であるから、錠本体に重力等が作用しても駆動源が通電を維持せずに駆動位置に保持でき、構造や制御も簡素化したデスクを提供することができる。また、電動駆動系と手動操作系とを併設するに際し、何れの場合にも操作性を良好として、製品寿命の低下となる要因も取り除いたデスクを提供することが可能となる。
【発明を実施するための最良の形態】
【００２４】
以下、本発明の一実施形態を、図面を参照して説明する。
【００２５】
図１及び図２に示すデスク１は、本発明の駆動装置２を利用した施解錠装置３によって施錠対象物であるセンター引出し１２の施解錠を行い得るようにしたものである。このデスク１は、前後の脚支柱１１a、１１ｂ間、及び、後端側における左右の脚支柱１１ｂ、１１ｂ間を横架材１０で連結し、前端側における左右の脚支柱１１ａ、１１ａ間を開放した脚体１１に天板１３を支持させてなるものであって、その開放した部位から引き出し２の出し入れを可能にしたもので、引出し２は横架材１０の厚み内にほぼ収まり、かつ天板１３の幅方向略全域に亘る平面形状をなしている。
【００２６】
そして、天板１３の後端側における左右近傍の下面に、図５に示すような被係合部１４ｂをブラケット１４を介して配置し、引出し１２の内部における幅方向両端に図１〜図３のように被係合部１４ｂと係合離脱可能な錠要素３１をユニットケース５，６を利用して配置するとともに、この錠要素３１を作動させるべく、右側のユニットケース５内に電動式の駆動装置２及び手動式の操作部４をそれぞれ組み込んでいる。
【００２７】
具体的に説明すると、ブラケット１４は、図１５に示すように、基端部１４ｍを天板１３を支持する脚体１１に支持され、先端部１４ｎを天板１３の下面に沿って延出させて、その先端部１４ｎに被係合部１４ｂを形成したものである。
【００２８】
錠要素３１は、図２〜図５に示すように、板状の本体部３１ａの中央が支軸３１ｘを介してユニットケース５，６に回転可能に支持され、且つ支軸３１ｘ、３１ｘ間が同期機構である連動軸３ａを介して相互に連結されていて、これらにより錠本体３ｘを構成するもので、錠要素３１の先端に上向き鎌状の係合部３１ｂを形成するとともに、駆動片３１ｃを下方に垂下させている。
【００２９】
駆動装置２は、図２並びに図４〜図６に示すように、オン／オフ状態を有するロック式オルタネイト型のラッチ機構２１と、入力がある度に駆動源であるステッピングモータ２２に同じ方向の動作を繰り返し行わせその動作により前記ラッチ機構２１のオン／オフ状態を切り替える駆動機構２ａとを備える。ラッチ機構２１はいわゆるハートカム等を利用して作動子２１ａをオン状態及びオフ状態に選択的に保持するようにしたもので、作動子２１ａは図９においてＡ１の突出位置（オフ状態）から押圧されることによりＡ２の切替点Ｔまで没入した後、内蔵したバネ２１ｂにより若干戻されてＡ３に示す後退位置にロックされ（オン状態）、再びＡ４の切替点Ｔまで押圧されることによりロック解除されてＡ５すなわちＡ１の突出位置に再び保持される（オフ状態）という背反動作を繰り返す。駆動機構２ａは、図２並びに図４〜図６等に示すように、ステッピングモータ２２の回転をギヤボックス２ｘ内で減速等して回転軸２３を駆動し、この回転軸２３の偏心した部位に取り付けた中間出力軸２３ａを周回動作させるとともに、この中間出力軸２３ａに長孔２４ａを介して遊動リンク２４の一端を接続し、当該遊動リンク２４の他端を前記ラッチ機構２１の作動子２１ａにコネクタ２１ｃを介して接続している。コネクタ２１ｃは一端に設けた係合片２１ｃ１を作動子２１ａに上方から差し込んで係合され、中間部に遊動リンク２４の他端を支軸ｎ１を介して枢着している。この実施形態では、作動信号が入力されるたびにステッピングモータ２２が起動して、図９に示す中間出力軸２３ａにＡ１→Ａ３まで（Ａ３→Ａ５まで）の３６０°の間欠的な周回動作を与えるように構成してある。中間出力軸２３ａは、１回の周回動作を行う途中で遊動リンク２４の長孔２４ａの一端を付勢してラッチ機構２１の作動子２１ａをＡ２或いはＡ４に示す切替点Ｔまで引き込むように設定されており、これにより中間出力軸２３ａの１回の周回動作でラッチ機構２１がＡ１→Ａ２→Ａ３の過程でオフ状態からオン状態へ、次の１回の周回動作でラッチ機構２１がＡ３→Ａ４→Ａ５の過程でオン状態からオフ状態へ切り替わる。引出し１２の鏡板の前面には、図１に示すように樹脂カバー２５ａで被覆された受光部２５が配置してあり、リモコン操作部２５ｘから作動信号を与えることにより、受光部２５から図示しないコントローラを経てステッピングモータ２２が駆動されるようにしている。
【００３０】
そして、このラッチ機構２１と錠要素３１との間を図２並びに図４〜図６に示す伝達部Ａを介して接続している。伝達部Ａは、奥行き方向に延びる駆動リンク３２を主体とするもので、この駆動リンク３２の一端側に前記ラッチ機構２の作動子２１ａをコネクタ２１ｃを介して接続するとともに、後端側に図５に示すような支軸ｎ２及びこの支軸ｎ２よりもやや大きめの孔３２ｄを介して前記錠要素３１の駆動片３１ｃを接続している。コネクタ２１ｃは作動子２１ａとともに引出し１２内をその突没方向に水平に進退し、遊動リンク２４は遊動しながら支軸ｎ１を介してコネクタ２１ｃとの枢着を維持し、駆動リンク３２は錠要素３１との間に設けた支軸ｎ２を孔３２ｄ内に遊動させることにより高さ方向の変位を逃がしながら駆動リンク３２の突没動作と駆動片３１ｃとを連動させ、錠本体３１を支軸３１ｘ回りに回動させる。
【００３１】
すなわち、駆動リンク３２は水平方向に作動しながら、ラッチ機構２１が図７、図８及び図９Ａ３等に示すオン状態にあるときに錠要素３１を第1の駆動位置である施錠位置Ｐに移動させ、図５、図６及び図９Ａ１等に示すオフ状態にあるときに錠要素３１を第２の駆動位置である解錠位置Ｑに移動させる。錠要素３１の係合部３１ｂは、施錠位置Ｐで上方に起き上がって天板１３の下面側の被係合部１４ｂに係合し、解錠位置Ｑで横臥することにより被係合部１４ｂとの係合を解除する。そして、錠要素３１と駆動リンク３２とを枢着する支軸ｎ２には外力が加わらなければ錠本体３ｘの自重によりラッチ機構２１から離れる方向の付勢力が働くため、ラッチ機構２に内蔵されていて作動子２１ａを突出方向に付勢している図示しないバネとも協働して、作動子２１は施錠位置Ｐ、解錠位置Ｑの何れにおいても切替点Ｔに向かう方向とは逆方向に付勢される。以下、必要に応じ、伝達部Ａを含めて中間出力軸２３ａから錠要素３１までの伝達系を第１の伝達機構Ｘと称し、この第１の伝達機構Ｘへの駆動力の入力端となる前記中間出力軸２３ａを電動式入力部と称する。
【００３２】
一方、操作部４は、図２、図４〜図６等に示すように、手動式入力部であるキー操作部４１ａを有するシリンダ錠４１と、このシリンダ錠４１の動きを錠要素３１に伝える第２の伝達機構Ｙとを備える。第２の伝達機構Ｙは、シリンダ錠４１の軸心から変位した部位を回転するように突設されたデッドボルト４２と、このデッドボルト４２の回転軌跡上に位置するように前記コネクタ２１ｃに突設された連動部４３とを具備し、前記第１の伝達機構Ｘとコネクタ２１ｃ、駆動リンク３２及び駆動片３１ｃを共用するものである。すなわち、図１０Ｂ１に示すように錠要素３１が解錠位置Ｑにあるときには、デッドボルト４２は連動部４３から離れた位置にある。この状態からキーＫを差し込んで操作し、Ｂ１→Ｂ２のようにシリンダ錠４１を所定角度回転させると、デッドボルト４２が軸心から変位したところを周回動作し、連動部４３を付勢してラッチ機構２１の作動子２１ａを切替点Ｔまで押し込む。その後、操作力を解除すると、錠本体３１の自重及びラッチ機構２１に内蔵されているバネの作用によって作動子２１ａがＢ２→Ｂ３のように僅かに戻され、一対の錠要素３１は連動軸３ａを介し連動してＢ３の施錠位置Ｐまで戻され、デッドボルト４２は連動部４３に付勢されて若干の戻り動作を行う。この位置から、一旦キーＫを一旦施錠方向に操作してシリンダ錠４１のデッドボルト４２にＢ３→Ｂ４のように若干の戻し動作を与えることにより一対の錠要素３１を持ち上げ、これにより作動子２１をＢ４の切替点Ｔまで押し込んだ後、シリンダ錠４１を操作してＢ４→Ｂ５のようにデッドボルト４２を所定角度回転させると、錠本体３１の自重及びラッチ機構２１に内蔵されたバネの反力によりＢ５に示す作動子２１ａの突出位置で錠要素３１が再び解錠位置Ｑに移動する。
【００３３】
但し、キーＫを一方向に操作することによりデッドボルト４２を介して連動部４３をＢ１→Ｂ２→Ｂ３まで一連の動作で案内し、他方向に操作することによりデッドボルト４２を介して連動部４３をＢ３→Ｂ４→Ｂ５まで一連の動作で案内できるような構造を採用すると、上記のようなキーＫの若干の戻り動作や戻し動作を不要にすることができる。
【００３４】
このように、本実施形態は、左右の錠要素３１の間を連動軸３ａを介して連結しており、駆動装置２側から駆動しても操作部４側から操作しても、一対の錠要素３１が作動し、ラッチ機構２の背反的な切替動作とともに、錠要素３１が施錠位置Ｐ又は解錠位置Ｑに保持される。そして、図１０に示すように操作部４側からＢ１→Ｂ２→Ｂ３→Ｂ４→Ｂ５と操作される際は、連動軸３ａを介して一対の錠要素３１が連動し、ラッチ機構２の作動子２１ａとともに遊動リンク２４は遊動するものの、遊動リンク２４の長孔２４ａ内で中間出力軸２３ａは相対位置を変えるだけで静止したままであり、中間出力軸２３ａは駆動されず、駆動源２２に作動力が伝わることはない。すなわち、長孔２４ａと中間出力軸２３ａの間がクラッチＣＬ１として機能するものとなっている。逆に、図９に示すように駆動装置２側からＡ１→Ａ２→Ａ３→Ａ４→Ａ５と駆動される際は、連動軸３ａを介して一対の錠要素３１は連動するものの、連動部４３がシリンダ錠４１のデッドボルト４２から離れた所を移動するだけで、シリンダ錠４１の操作部４を構成するキー操作部４１ａに作動力が伝わることはない。すなわち、デッドボルト４２と連動部４３の間がクラッチＣＬ２として機能するものとなっている。
【００３５】
以上のように構成される本実施形態のデスク１を駆動源の観点から見ると、このデスク１は駆動装置２により錠本体３ｘの錠要素３１を被係合部１４ｂに選択的に係合させて引出し１２の施解錠を行うようにしたものであり、駆動装置２は、オン／オフ状態を有するロック式オルタネイト型のラッチ機構２１と、入力がある度に駆動源であるステッピングモータ２２に同じ方向の動作を繰り返し行わせその動作によりラッチ機構２１のオン／オフ状態を切り替える駆動機構２ａと、ラッチ機構２１に関連づけられこのラッチ機構２１がオン状態のときに第1の駆動位置である施錠位置Ｐに移動しオフ状態のときに第２の駆動位置Ｑに移動する出力子たる錠本体３ｘとを備え、この駆動装置２を引出し１２内に配置して構成したものである。そして、ロック式オルタネイト型のラッチ機構２１であれば、ステッピングモータ２２のように同じ動作を繰り返す比較的単純な駆動源を用いてもオン／オフ状態を背反的に切り替えることができる。このため、ラッチ機構２１のオン／オフ状態を切り替える上で別異の動作を行いリミットスイッチ等を必要とする減速モータや駆動位置で保持力を維持する必要のあるソレノイド等の如き通電量が多く複雑な駆動源を採用せずに済み、駆動源や制御系を簡素にしてコストダウンを図ることができる。そして、このようなラッチ機構２１に錠本体３ｘが関連づけられているので、錠本体３ｘをラッチ機構２１を通じて施錠位置Ｐ及び解錠位置Ｑに的確に移動、保持することができ、通電量が減少してランニングコストを削減でき、耐久性向上も図ることが可能となる。さらに、このような駆動装置２を引出し１２内に配置しており、錠本体３１をたとえ自重が作用するような方向に作動させてもラッチ機構２１によって作動位置を保持することができるので、施錠の拠り所を天板１３に求めることなども容易に可能となる。
【００３６】
具体的には、ラッチ機構２１は引出し１２内を水平方向に作動し、錠本体３ｘは引出し１２内に位置する解錠位置Ｑと上方へ起き上がって天板１３の下面側に設けた被係合部１４ｂに係合する施錠位置Ｐとの間で移動するように構成しているので、引出し１２が扁平であっても有効に組み込んで施解錠を実現することができる。
【００３７】
また、少なくとも錠本体３ｘの自重がラッチ機構２１に対して切替点Ｔに向かう方向と逆方向に作用するように設定しており、ラッチ機構２１はロック式オルタネイト型であって切替点Ｔに付勢力が向かわない限りオン／オフ状態が切り替わることはないので、錠本体３ｘを駆動位置に確実に保持することができ、本発明の実効を担保することができる。
【００３８】
さらに、このデスク１は、天板１３を支持する脚体１１が、前後の脚支柱１１a、１１ｂ間、及び、後端側における左右の脚支柱１１ｂ、１１ｂ間を横架材１０で連結し、前端側における左右の脚支柱１１ａ、１１ａ間を開放したものであって、その開放した部位において横架材１０の厚み内にほぼ収まる引出し１２を配置しており、当該引出し１２が扁平なものとなっているが、このような場合であっても施解錠を有効に実現することができる。
【００３９】
また、引出し１２が、天板１３の幅方向略全域に亘ってその下面側に配置されるものであり、周囲に筐体等が存在しないために施錠の拠り所の少ないものとなっているが、このような場合であっても本発明により施解錠を有効に実現することができる。
【００４０】
以上に加えて、本実施形態においては以下のような作用効果が奏される。
【００４１】
先ず、入力がある度に駆動源であるステッピングモータ２２から中間駆動軸２３ａに一方向の間欠動作を与え、この中間駆動軸２３ａの間欠動作によってラッチ機構２１のオン／オフ状態を切り替えるようにしているため、ステッピングモータ２２の１動作と中間駆動軸２３ａの一方向の間欠動作との同期をとり易く、中間駆動軸２３ａの間欠動作とラッチ機構２１のオン／オフ状態の切り替えとの関連づけも良好に行うことができる。
【００４２】
特に、中間駆動軸２３ａを軸心から変位した円周上を周回動作するものにしているため、遊動リンク２４を接続してクランク動作させることでラッチ機構２１のオン／オフ状態の切り替えとの関連づけを極めて簡素に行うことができる。
【００４３】
また、上述した如く駆動源にステッピングモータ２２を採用して、このステッピングモータから中間駆動軸２３ａに間欠動作を与えるように構成しており、ステッピングモータ２２はオープン制御であっても高い精度で稼動しリミットスイッチ等も必要ないため、制御が容易で低コストの駆動機構２ａを実現することができる。
【００４４】
勿論、駆動源の観点のみからすれば、本実施形態は駆動装置２のみでも成立し得るため、操作部４を廃しても本発明の基本的な作用効果を奏するものである。さらに、ラッチ機構２１はオン／オフ状態を有するロック式オルタネイト型のものであればハートカム形式のものに限らないし、駆動機構２ａの駆動源は入力がある度に同じ方向の動作を繰り返し行うことができればステッピングモータに限らない。
【００４５】
一方、本実施形態のデスク１を電動駆動系、手動操作系を併設する観点からすると、このデスク１は、施解錠装置３により錠本体３ｘを構成する錠要素３１を被係合部１４ｂに選択的に係合させて引出し１２の施解錠を行うようにしたものであり、施解錠装置３は、電動式入力部たる中間出力軸２３ａと、この中間出力軸２３ａから入力される駆動力によって施錠位置Ｐと解錠位置Ｑの間で動作する錠本体３ｘと、外部操作力によって錠本体３ｘを施錠位置Ｐと解錠位置Ｑの間で移動させるための手動式入力部たるキー操作部４１ａとを備えて、中間出力軸２３ａ及びキー操作部４１ａを、互いに相手方を逆駆動することなく作動し得るように錠本体３ｘに関連づけたものであり、この施解錠装置３を引出し１２内に配置して構成したものである。
【００４６】
このようにすれば、電動駆動によっても外部からの手動操作によっても錠本体３ｘの施解錠動作を実現することができるので、平素は電動駆動によって良好な使い勝手を得、停電等の非常時においても手動操作によって解錠及び施錠を有効に行うことができる。しかも、何れの動作時にも相手方を逆駆動することがないので、併設しても引きずり抵抗を伴うことなく適正に作動させることができ、機構部品に不必要な負荷が掛からないことから頻繁に使用しても故障し難く、また手動操作も軽快に行うことができる。そして、このような施解錠装置３を引出し１２内に配置するようにしているので、組み込みスペースを有効に確保することが可能となる。
【００４７】
具体的には、電動式入力部である中間出力軸２３ａ、手動式入力部であるキー操作部４１ａともに、引出し１２の幅方向の右端側に集合させて設けられ、それぞれ機械式のワンウェイクラッチＣＬ１、ＣＬ２を介しかつ駆動リンク３２やコネクタ２１ｃ等の機構部品を共用して錠本体３ｘに接続されているため、逆駆動の問題を確実に解消しつつ、コンパクトな構成を実現することができる。特にワンウェイクラッチＣＬ１は機械式のものであるため、停電等の非常時にも有効に機能を維持することができる。
【００４８】
この場合、中間出力軸２３ａはデスク１の前面側に設けた受光部２５において作動信号を受け付け、キー操作部４１ａは引出し１２の下面側から操作可能としているため、受光部２５やキー操作部４１ａの組み込み場所の取り合いに善処でき、かつ、リモコン操作部２５ｘから操作し易く、非常解錠の場合のみ使用されるキー操作部４１ａを目だたない部位に配置しておくことができる。
【００４９】
構成概念としては、図１１に示すように、中間出力軸２３ａと錠本体３ｘの間に第１の伝達機構Ｘを介在させ、キー操作部４１ａと錠本体３ｘの間に第２の伝達機構Ｙを介在さるにあたり、それら伝達機構Ｘ、Ｙの機構部品を錠本体３ｘに対し並列的に配置しているため、組み付けが容易となるほか、既設の手動式施解錠装置にクラッチＣＬ１や中間出力軸２３ａ等を追加して電動式施解錠機能を付与したり、既設の電動式施解錠装置にクラッチＣＬ２やキー操作部４１ａ等を追加して手動式施解錠機能を付与すること等も容易に可能となる。
【００５０】
勿論、このような駆動形式の併設の観点のみからすれば、電動式入力部と手動式入力部を互いに影響を及ぼすことなく駆動し得るように並列配置できれば、駆動源の種類は問わない。したがって、ロック式オルタネイト型のラッチ機構等を用いずに、ソレノイドのような復動構造であって自身で駆動位置を保持する種類の駆動源を用いても構わない。駆動源からの出力の仕方も、上記実施形態では駆動源であるステッピングモータ２２を減速機構等を介して電動式入力部である中間出力軸２３ａに出力しているが、電動式入力部はダイレクトに電動源の出力軸それ自体であっても構わない。逆に、手動式入力部は、上記実施形態ではシリンダ錠４１のキー操作部４１ａとなっているが、他の種類の操作部を用いてもよく、或いは変換機構等を介して間接的に手動式入力部に操作力を伝えるようにしてもよい。ワンウェイクラッチＣＬ１、ＣＬ２においても、電動式入力部や手動式入力部の逆駆動を遮断できれば、種々の構造のものが採用可能である。
【００５１】
そして、上記何れの観点にも共通する効果として、本実施形態は、錠本体３ｘを引出し１２の後端近傍に配置して施解錠装置３を構成しているので、作動音が気にならず、引出し１２の奥方のアクセスし難い部位に錠本体３ｘを位置づけることで不正な解錠操作も有効に防止することができる。
【００５２】
また、ユニットケース５、６に駆動系や手動操作系の機構部品を収容して引出し１２内に配置し、デスク本体側に被係合部１４ｂを有するブラケット１４を取り付けるようにしているため、既存のデスク１に後付で施解錠装置１３を追加すること等も容易に行うことが可能となる。
【００５３】
特に、ブラケット１４は、基端部１４ｍを天板１３を支持する脚体１１に支持され、先端部１４ｎを天板１３の下面に沿って延出させて、その先端部１４ｎに被係合部１４ｂを形成しているため、取り付けが容易であり、しかも施錠時には先端部１４ｎは引出し１２と天板１３との隙間に密接に挿入されるため、不正な取り外し操作等を有効に防止することが可能となる。
【００５４】
なお、各部の具体的な構成は、上述した実施形態のみに限定されるものではない。例えば、上記実施形態は、図１１に示すように、電動式入力部である中間出力軸２３ａ及び手動式入力部であるキー操作部４１ａをそれらの伝達機構Ｘ、Ｙとともに引出し１２の幅方向の一端側に集合させて設け、それぞれ機械式のワンウェイクラッチＣＬ１、ＣＬ２を介し且つ一部の機構部品を共用して錠本体３ｘに接続したが、図１２に示すように、電動式入力部である中間出力軸２３ａを第１の伝達機構Ｘとともに引出し１２の幅方向の一端側に設け、手動式入力部であるキー操作部４１ａを第２の伝達機構Ｙとともに引出し１２の幅方向の他端側に隅分けして設けるようにしてもよい。
【００５５】
図１３〜図１５はその具体的な構成例を示すものである。このデスク１は、引出し１２の幅方向一端側に配置したユニットケース５内に電動式の駆動装置２を組み込み、他端側に配置したユニットケース６内に手動式の操作部４を組み込んでいる。すなわち、ユニットケース５には、図２に示した機構部品のうちシリンダ錠４１を取り除いたものが収容されている。一方、ユニットケース６には、図１４及び図１５に示すように、錠要素３１のほか、前記駆動リンク３２と同様にして錠要素３１の駆動片３１ｃに後端側を接続された当該駆動リンク３２よりも長尺な作動リンク１３２と、引出し１２の鏡板の前面に手動式入力部たるキー操作部１４１ａを表出させた状態で取り付けられたシリンダ錠１４１と、このシリンダ錠１４１のデッドボルト１４２の動きを作動リンク１３２に伝えるカム１４３とを具備している。カム１４３は、天板１３の幅方向に延びる支軸ｎ３に枢着され、その支軸ｎ３から略下方へ変位した部位を作動リンク１３２の前端側に支軸ｎ４を介して枢着されているとともに、支軸ｎ３から前方へ変位した部位に天板１３の幅方向に延びるピン１４３ａ、１４３ｂを突設し、これらのピン１４３ａ、１４３ｂ間に、前記シリンダ錠１４１の軸心から変位した部位より後方に向けて突設した前記デッドボルト１４２を挿入して係わり合わせている。
【００５６】
すなわち、キー操作部１４１ａにキーＫを挿入して回転操作すると、デッドボルト１４２がシリンダ錠１４１の軸心から変位した部位を周回動作し始め、その結果、高さ位置が変わることを利用して、デッドボルト１４２が下方に位置する際に図１５（ａ）に示すように錠本体３ｘを構成する錠要素３１の係合部３１ｂを天板１３側の被係合部１４ｂから離脱させて解錠位置Ｑに保持し、デッドボルト１４２が上方に移動した際に同図（ｂ）に示すようにピン１４３ａを上方に付勢してカム１４３を支軸ｎ３回りに回転させ、その結果、作動リンク１３２を前方へ移動させて錠本体３１を、その錠要素３１の係合部３１ｂを天板１３側の被係合部１４ｂに係合する施錠位置Ｐに移動させるようにしたものである。
【００５７】
なお、このキー操作部１４１ａは、図１６に示すように非操作時にはスライド可能な樹脂カバー１４４により被覆されていて、この樹脂カバー１４４が右側の受光部２５の樹脂カバー２５ａと同等の見え掛かりを呈している。
【００５８】
このようにして、錠本体３ｘが同期機構である連動軸３ａを介して離間位置に配置された対をなす錠要素３１を具備し、中間出力軸２３ａは第１の伝達機構Ｘとともに右の錠要素３１側に、キー操作部４１ａは第２の伝達機構Ｙとともに左の錠要素３１側に隅分けして設けられるため、局所的に機構部品が集中することを避けつつ、電動、手動何れでも作動を可能にするという本発明の機能を有効に担保することができる。
【００５９】
特に、中間出力軸２３ａへの作動信号を受光する受光部２５及び操作部４への操作力を受け付けるキー操作部１４１ａを、それぞれ樹脂カバー２５ａ、１４４で被覆することにより引出し１２の鏡板の左右両端に同等の見え掛かりとなるように対称的に併設しているため、家具の格調を損ねることなく、適切な操作位置を確保することができる。
【００６０】
さらにまた、カムやリンク等を始めとする各種部品の形状やリンク同士の接続方法なども上記実施形態に限定されるものではなく、シリンダ錠の動き方や引出しの施解錠装置の構造等も他の種々の態様によることができる。
【００６１】
要は、駆動源とラッチ機構との組み合わせに関する発明については、駆動源が同じ方向に所定角度（例えば３６０°）づつしか回転せず、それによりラッチ機構をオン／オフさせ、そのラッチ機構で錠本体を２位置に背反的に移動させて保持することができれば、各部の具体的構成は本発明の趣旨を逸脱しない範囲で種々変形が可能である。
【００６２】
また、電動式入力部と手動式入力部との併設に関する発明については、これらを何れによっても錠本体を施解錠方向に作動させ得るようにし、かつワンウェイクラッチ等を使用して一方の入力部からの入力時に他方の入力部を逆駆動しないように構成できさえすれば、各部の具体的構成は本発明の趣旨を逸脱しない範囲で種々変形が可能である。
【図面の簡単な説明】
【００６３】
【図１】本発明の一実施形態を適用したデスクの斜視図。
【図２】同実施形態における駆動装置及び操作部を収容したユニットケースの斜視図。
【図３】同実施形態おける錠本体のみを収容したユニットケースの斜視図。
【図４】図２の分解図。
【図５】図２に係る駆動装置の作用説明図。
【図６】図５の同平面図。
【図７】図５に対応した駆動装置の作用説明図。
【図８】図６に対応した駆動装置の作用説明図。
【図９】駆動装置から錠本体が駆動される際の作用説明図。
【図１０】操作部から錠本体が操作される際の作用説明図。
【図１１】同実施形態の概念的な構成図。
【図１２】本発明の変形例を示す図１１に対応した構成図。
【図１３】本発明の変形例を示す図１に対応した斜視図。
【図１４】操作部の構成を示す斜視図。
【図１５】同操作部の作用説明図。
【図１６】手動入力部の構成を示す斜視図。
【符号の説明】
【００６４】
１…デスク
２…駆動装置
２ａ…駆動機構
３…施解錠装置
３ａ…同期機構（連動軸）
３ｘ…錠本体
４…操作部
１０…横架材
１１…脚体
１１ａ、１１ｂ…脚支柱
１２…引出し
１３…天板
１４ｂ…被係合部
２１…ラッチ機構
２２…駆動源（ステッピングモータ）
２３ａ…電動式入力部（中間出力軸）
２５…受光部
３１…錠要素
４１ａ…手動式入力部（キー操作部）
ＣＬ１、ＣＬ２…ワンウェイクラッチ
Ｐ…施錠位置
Ｑ…解錠位置
Ｔ…切替点
Ｘ…第１の伝達機構
Ｙ…第２の伝達機構
【図１】
0004784934.tif 000002
【図２】
0004784934.tif 000003
【図３】
0004784934.tif 000004
【図４】
0004784934.tif 000005
【図５】
0004784934.tif 000006
【図６】
0004784934.tif 000007
【図７】
0004784934.tif 000008
【図８】
0004784934.tif 000009
【図９】
0004784934.tif 000010
【図１０】
0004784934.tif 000011
【図１１】
0004784934.tif 000012
【図１２】
0004784934.tif 000013
【図１３】
0004784934.tif 000014
【図１４】
0004784934.tif 000015
【図１５】
0004784934.tif 000016
【図１６】
0004784934.tif 000017